(57)【要約】【課題】省エネルギで走行することを可能とする荷物運搬用車両を提供することである。【解決手段】荷物運搬用車両１０は、トラックキャブ部１６の後方に位置し、天井面部が開口を有する箱型荷台部１２と、天井面部の短手方向に沿って天井面部を跨ぐように天井面部から上方に向けて突出するアーチ状の複数の幌骨部１４と、を備え、箱型荷台部１２は、底面部の長手方向に沿った端部に立設するサイドパネル部１３を有し、サイドパネル部１３は、所定の板厚を有し、軽量材質で構成される外壁板部２２と、外壁板部２２の内側に設けられ、互いに所定の間隔をあけて装着される棒状の複数の補強部２６と、複数の補強部２６の間に形成される隙間に設けられる複数の断熱板部２８と、複数の補強部２６及び複数の断熱板部２８の内側に設けられ、荷物を保護するための保護部３０と、を備える。【選択図】図１
2020032741.tif 000002
【特許請求の範囲】
【請求項１】
トラックキャブ部の後方に位置し、天井面部が開口を有する箱型荷台部と、
前記天井面部の短手方向に沿って前記天井面部を跨ぐように前記天井面部から上方に向けて突出するアーチ状の複数の幌骨部と、
を備え、
前記箱型荷台部は、
底面部の長手方向に沿った端部に立設するサイドパネル部を有し、
前記サイドパネル部は、
所定の板厚を有し、軽量材質で構成される外壁板部と、
前記外壁板部の内側に設けられ、互いに所定の間隔をあけて装着される棒状の複数の補強部と、
前記複数の補強部の間に形成される隙間に設けられる複数の断熱板部と、
前記複数の補強部及び前記複数の断熱板部の内側に設けられ、荷物を保護するための保護部と、
を備えることを特徴とする荷物運搬用車両。
【請求項２】
請求項１に記載の荷物運搬用車両において、
前記各幌骨部は、筒状の棒部材を有し、
前記各棒部材は、少なくとも一部に切欠きを含むことを特徴とする荷物運搬用車両。
【請求項３】
請求項１または請求項２に記載の荷物運搬用車両において、
前記各幌骨部は、合成樹脂で構成されていることを特徴とする荷物運搬用車両。
【請求項４】
請求項１から請求項３のいずれか１項に記載の荷物運搬用車両において、
前記天井面部の短手方向に沿って前記天井面部を跨ぐ前記各幌骨部は、前記トラックキャブ側に向かうにつれて高さが低くなるように設定されていることを特徴とする荷物運搬用車両。
【発明の詳細な説明】
【技術分野】
【０００１】
本発明は、荷物運搬用車両に関する。
【背景技術】
【０００２】
近年、インターネットなどの通信技術の発達に伴い、インターネットなどを利用した物販が活発になされている。そのため、宅配業界においても取り扱う荷物量が増えるとともに荷物を乗せた車両の移動距離も増加している。
【０００３】
本発明に関連する技術として、例えば、特許文献１には、機械式の駐車装置の専用ケースであって、駐車装置は、複数の格納位置にそれぞれ設けられ該格納位置と入出庫位置との間で移動させられる複数の車両積載体を備え、いずれかの車両積載体が入出庫位置にある状態で、該車両積載体へ外部から自動車が乗り込み可能であり、該車両積載体から外部へ自動車が乗り出し可能であり、専用ケースは、宅配物または保管対象の物を収容可能な収容空間が内部に形成されたケース本体と、ケース本体の下部に設けられ路面上を転動可能な複数の車輪とを備え、いずれかの車両積載体が前記入出庫位置にある状態で、専用ケースは、複数の車輪の転動により、外部から該車両積載体へ乗り込み可能であり、該車両積載体から外部へ乗り出し可能に構成されている、専用ケースが開示されている。
【先行技術文献】
【特許文献】
【０００４】
【特許文献１】特開２０１８−１１２００１号公報
【発明の概要】
【発明が解決しようとする課題】
【０００５】
今後、更に宅配荷物が増えていくと、宅配するための車両が増え、また、移動距離がさらに増加する可能性が高いため、地球環境などの観点から省エネルギでの荷物の運搬を行うこと求められている。
【０００６】
本発明の目的は、省エネルギで走行することを可能とする荷物運搬用車両を提供することである。
【課題を解決するための手段】
【０００７】
本発明に係る荷物運搬用車両は、トラックキャブ部の後方に位置し、天井面部が開口を有する箱型荷台部と、前記天井面部の短手方向に沿って前記天井面部を跨ぐように前記天井面部から上方に向けて突出するアーチ状の複数の幌骨部と、を備え、前記箱型荷台部は、底面部の長手方向に沿った端部に立設するサイドパネル部を有し、前記サイドパネル部は、所定の板厚を有し、軽量材質で構成される外壁板部と、前記外壁板部の内側に設けられ、互いに所定の間隔をあけて装着される棒状の複数の補強部と、前記複数の補強部の間に形成される隙間に設けられる複数の断熱板部と、前記複数の補強部及び前記複数の断熱板部の内側に設けられ、荷物を保護するための保護部と、を備えることを特徴とする。
【０００８】
また、本発明に係る荷物運搬用車両において、前記各幌骨部は、筒状の棒部材を有し、  前記各棒部材は、少なくとも一部に切欠きを含むことが好ましい。
【０００９】
また、本発明に係る荷物運搬用車両において、前記各幌骨部は、合成樹脂で構成されていることが好ましい。
【００１０】
また、本発明に係る荷物運搬用車両において、前記天井面部の短手方向に沿って前記天井面部を跨ぐ前記各幌骨部は、前記トラックキャブ側に向かうにつれて高さが低くなるように設定されていることが好ましい。
【発明の効果】
【００１１】
本発明によれば、荷物を載せる荷台部が軽量化されているため燃費が向上する。これにより、省エネルギで走行することができるという顕著な効果を奏する。
【図面の簡単な説明】
【００１２】
【図１】本発明に係る実施形態の荷物運搬用車両を示す図である。
【図２】本発明に係る実施形態の荷物運搬用車両において、幌骨を露出させた状態を示す図である。
【図３】本発明に係る実施形態の荷物運搬用車両を背面側から見た様子を示す図である。
【図４】本発明に係る実施形態の荷物運搬用車両のサイドパネル部を示す図である。
【発明を実施するための形態】
【００１３】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１４】
図１は、荷物運搬用車両１０を示す図である。図２は、荷物運搬用車両１０において、幌骨部１４を露出させた状態を示す図である。
【００１５】
図３は、図２に示される荷物運搬用車両１０を背面側から見た様子を示す図である。図４は、荷物運搬用車両１０のサイドパネル部１３を示す図である。
【００１６】
荷物運搬用車両１０は、フロントガラス、運転席及びドアなどを有するトラックキャブ部１６と、箱型荷台部１２と、複数の幌骨部１４と、幌部１５と、４つの車輪部１８とを備えた宅配用の軽トラックである。
【００１７】
箱型荷台部１２は、トラックキャブ部１６の後方に位置し、天井面部が開口を有している。箱型荷台部１２は、宅配するための荷物を収納可能な内部空間を有している。箱型荷台部１２は、上面視で略ロの字形状を有しているが、車両進行方向が長手方向となり、車両進行方向の鉛直方向が短手方向となるような長方形の形状を有している。
【００１８】
箱型荷台部１２は、底面部の長手方向に沿った端部に立設するサイドパネル部１３と、トラックキャブ部１６とは反対側の背面ドア部２０とを備えている。サイドパネル部１３は、外壁板部２２と、補強部２６と、断熱板部２８と、保護部３０とを備えている。
【００１９】
外壁板部２２は、所定の板厚を有し、軽量材質で構成される。外壁板部２２の厚みは、例えば、２ｍｍ〜４ｍｍに設定することが出来る。外壁板部２２は、プラスチックシートをアルミニウムでサンドイッチした金属複合板あり、芯材に発泡ポリエチレンを使用している。このため、非常に軽くて扱いやすいという利点がある。
【００２０】
外壁板部２２は、箱型荷台部１２の側面を１枚（図４（ｃ）参照）で構成しており、図４（ａ）（ｃ）のＢ−Ｂ線断面図である図４（ｂ）に示される層の中で最も外側に配置されている。したがって、外側から見た場合には、図４（ｃ）に示されるように外壁板部２２のみが見えるようになっている。
【００２１】
複数の補強部２６は、外壁板部２２の内側に設けられ、互いに所定の間隔をあけて装着される棒状の角材である。図４（ａ）は、サイドパネル部１３を内側から見た場合であって、保護部３０を取り除いて複数の補強部２６を露出させた状態を示す図である。
【００２２】
複数の補強部２６は、１枚の外壁板部２２を９つに分割するように格子状（図４（ａ）参照）に設けられる。複数の補強部２６は、適度な強度を有する材質、例えば、鉄などを用いて構成することが好ましい。
【００２３】
複数の断熱板部２８は、複数の補強部２６の間に形成される隙間に設けられる矩形の断熱部材であり、例えば、押出法ポリスチレンフォーム保温板を用いて構成することが出来る。図４（ａ）に示されるように、複数の補強部２６によって９つに分割された空間領域に配置される。
【００２４】
複数の補強部２６及び複数の断熱板部２８の厚みは、例えば、１５〜２５ｍｍに設定することができ、複数の補強部２６及び複数の断熱板部２８によって形成される層は、図４（ｂ）に示さるように、外壁板部２２と保護部３０との間に挟まれる中間層である。
【００２５】
なお、上記では、複数の補強部２６は、図４（ａ）に示されるような格子状を形成するものとして説明したが、軽量で、かつ、サイドパネル部１３の強度を保つような構造であればよい。
【００２６】
例えば、図４（ｄ）に示されるようにクロスを描くような構造の補強部２７にして、その間に形成される隙間に三角形状の断熱板部２９を配置してもよい。
【００２７】
保護部３０は、複数の補強部２６及び複数の断熱板部２８の内側に設けられ、荷物を保護するための保護部材である。保護部３０の厚みは、例えば、４〜６ｍｍに設定することが出来る。
【００２８】
保護部３０は、円柱状に真空成形したシートと上下２枚のシートを熱溶着させ、空気を密封した３層構造中空積層板で構成することが出来る。保護部３０は、図４（ｃ）に示されるように、外壁板部２２と対となるように一枚の板部材で構成されている。
【００２９】
背面ドア部２０は、車両の背面側に設けられ、サイドパネル部１３に跨って設けられる両開き扉である。この扉を開いて、箱型荷台部１２の内部空間に宅配の対象物である荷物を出し入れすることが出来る。
【００３０】
複数の幌骨部１４は、幌部１５を装着するために箱型荷台部１２に設けられる骨組である。複数の幌骨部１４は、筒状の棒部材を有して構成されている。複数の幌骨部１４は、ステンレスなどの部材で構成することが出来るが幌部１５の部分が何らかの障害物（例えば、立体駐車場の躯体）に衝突した際に折れ曲がりやすくするために合成樹脂で構成することが好ましい。
【００３１】
各幌骨部１４は、箱型荷台部１２の天井面部の短手方向に沿って天井面部を跨ぐように設けられている。図３に示されるように車両の背面側から見たときに中央部が最も高く端部に向けて低くなるように傾斜している。
【００３２】
また、各幌骨部１４は、図２に示されるように、車両の側面側から見たときにトラックキャブ部１６側に向かうにつれて高さが低くなるように設定されている。
【００３３】
各幌骨部１４は、内部に空間を有する円筒形状を有している。そして、各幌骨部１４は、図２の点線で囲まれた拡大図及びＡ−Ａ線断面図に示されるように、下部において、切欠き部１４ａが形成されている。
【００３４】
幌部１５は、幌骨部１４を覆いかぶさるように設けられ、箱型荷台部１２上の屋根部を形成する部材である。幌部１５は、例えば、エステル帆布やターポリンなどを用いて構成することが出来るが、材質は適宜変更することが出来る。
【００３５】
続いて、上記構成の荷物運搬用車両１０の作用について説明する。荷物運搬用車両１０は、いわゆる軽自動車の規格に合わせて製造された軽トラックであり、箱型荷台部１２の内部空間には、宅配対象物の荷物がたくさん積載されることとなる。
【００３６】
ここで、荷物運搬用車両１０は、サイドパネル部１３の構成要素が芯材に発泡ポリエチレンを有し、プラスチックシートをアルミニウムでサンドイッチした金属複合板を有し、厚みも２〜４ｍｍに設定された外壁板部２２で構成されているため軽量である。
【００３７】
軽量化された外壁板部２２の強度を補完する役割として、一枚の外壁板部２２に格子状に厚みが１５〜２５ｍｍの角材の補強部２６が設置されている。そして、補強部２６の間に断熱材を用いることで箱型荷台部１２の内外の熱の出入りを遮断する。
【００３８】
そして、補強部２６及び断熱板部２８の内側に厚みが４〜６ｍｍの保護部３０が設置されているため、荷物運搬用車両１０の移動中に箱型荷台部１２内の荷物が揺れ動いた場合であっても緩衝材としての役割を果たすため荷物を保護することが出来る。
【００３９】
従来は、強度を重視している観点からサイドパネルを構成する部分は鉄で構成されていたため重量が大きく燃費が芳しいものではなかった。しかしながら、荷物運搬用車両１０によれば、上記のように、軽量化された外壁板部２２の内側に補強部２６が配置されており、強度を持たせつつ軽量化されているため、従来に比べて少ない燃料で走行することができる。すなわち、荷物運搬用車両１０によれば、省エネルギで走行することができるという顕著な効果を奏する。
【００４０】
また、荷物運搬用車両１０によれば、箱型荷台部１２の上方に設けられた複数の幌骨部１４に切欠き部１４ａが形成されており、かつ、合成樹脂で構成されているため、例えば、立体駐車場の躯体に幌部１５が衝突した際には、切欠き部１４ａの部分で幌骨部１４が折れ曲がる。
【００４１】
従来は、強度を重視した観点から幌骨部１４が鉄で構成されていたため、上記のように衝突した際には衝突した相手方を傷つけてしまうという課題があった。しかしながら、荷物運搬用車両１０によれば、上記のような衝突時には幌骨部１４が折れ曲がるため、衝突した相手方を傷つけずに守ることが出来るという利点がある。
【００４２】
さらに、荷物運搬用車両１０によれば、車両の側面側から見たときにトラックキャブ部１６側に向かうにつれて高さが低くなるように設定されているため、荷物運搬用車両１０が走行した際に風が低抵抗で後方に向けて流れていくことが出来る。
【００４３】
また、雨が降った際にも幌部１５に溜まることなく排出することが出来るという利点がある。
【符号の説明】
【００４４】
１０  荷物運搬用車両、１２  箱型荷台部、１３  サイドパネル部、１４  幌骨部、１４ａ  切欠き部、１５  幌部、１６  トラックキャブ部、１８  車輪部、２０  背面ドア部、２２  外壁板部、２６，２７  補強部、２８，２９  断熱板部、３０  保護部。
【図１】
2020032741.tif 000003
【図２】
2020032741.tif 000004
【図３】
2020032741.tif 000005
【図４】
2020032741.tif 000006
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
トラックキャブ部の後方に位置し、天井面部が開口を有する箱型荷台部と、
前記天井面部の短手方向に沿って前記天井面部を跨ぐように前記天井面部から上方に向けて突出するアーチ状の複数の幌骨部と、
を備え、
前記箱型荷台部は、
底面部の長手方向に沿った端部に立設するサイドパネル部を有し、
前記サイドパネル部は、
プラスチックシートをアルミニウム板で挟持した金属複合板で構成される外壁板部と、
前記外壁板部の強度を補完するように前記外壁板部の内側に設けられ、互いに所定の間隔をあけて装着される棒状の複数の鉄製補強部と、
前記複数の鉄製補強部の間に形成される隙間に設けられる複数の断熱板部と、
荷物を保護するために前記複数の鉄製補強部及び前記複数の断熱板部の内側に設けられ、２枚のシートを熱溶着させた内部に空気を密封した中空積層板で構成される保護部と、
を備えることを特徴とする荷物運搬用車両。
【請求項２】
請求項１に記載の荷物運搬用車両において、
前記各幌骨部は、筒状の棒部材を有し、
前記各棒部材は、少なくとも一部に切欠きを含むことを特徴とする荷物運搬用車両。
【請求項３】
請求項１または請求項２に記載の荷物運搬用車両において、
前記各幌骨部は、合成樹脂で構成されていることを特徴とする荷物運搬用車両。
【請求項４】
請求項１から請求項３のいずれか１項に記載の荷物運搬用車両において、
前記天井面部の短手方向に沿って前記天井面部を跨ぐ前記各幌骨部は、前記トラックキャブ側に向かうにつれて高さが低くなるように設定されていることを特徴とする荷物運搬用車両。
【手続補正２】
【補正対象書類名】明細書
【補正対象項目名】０００７
【補正方法】変更
【補正の内容】
【０００７】
本発明に係る荷物運搬用車両は、トラックキャブ部の後方に位置し、天井面部が開口を有する箱型荷台部と、前記天井面部の短手方向に沿って前記天井面部を跨ぐように前記天井面部から上方に向けて突出するアーチ状の複数の幌骨部と、  を備え、前記箱型荷台部は、底面部の長手方向に沿った端部に立設するサイドパネル部を有し、前記サイドパネル部は、プラスチックシートをアルミニウム板で挟持した金属複合板で構成される外壁板部と、前記外壁板部の強度を補完するように前記外壁板部の内側に設けられ、互いに所定の間隔をあけて装着される棒状の複数の鉄製補強部と、前記複数の鉄製補強部の間に形成される隙間に設けられる複数の断熱板部と、荷物を保護するために前記複数の鉄製補強部及び前記複数の断熱板部の内側に設けられ、２枚のシートを熱溶着させた内部に空気を密封した中空積層板で構成される保護部と、を備えることを特徴とする。